(57)【要約】【課題】有線回線と無線回線が混在し、一時的な品質劣化が頻繁に生じる可能性のあるネットワークにおいて、その品質劣化を検知することのできる手段を得る。【解決手段】ネットワークの品質劣化を検知する装置であって、ネットワークを流れるパケットを取得するパケット取得部１１０と、パケット取得部１１０が取得したパケットに基づきネットワークの品質指標を取得する品質取得部１２０と、品質指標に基づきネットワークの品質劣化を検知する品質劣化検知部１４０と、を備え、品質劣化検知部１４０は、パケットが有線回線のみを経由して取得されたパケットであれば、品質指標が低下した場合にネットワークの品質が劣化したものと判定し、パケットが無線回線を経由して取得されたパケットであれば、品質指標が非周期的に低下した場合にネットワークの品質が劣化したものと判定する。【選択図】図１
2010183220.tif 000002
【特許請求の範囲】
【請求項１】
ネットワークの品質劣化を検知する装置であって、
前記ネットワークを流れるパケットを取得するパケット取得部と、
前記パケット取得部が取得したパケットに基づき前記ネットワークの品質指標を取得する品質取得部と、
前記品質指標に基づき前記ネットワークの品質劣化を検知する品質劣化検知部と、
を備え、
前記品質劣化検知部は、
前記パケットが有線回線のみを経由して取得されたパケットであれば、
前記品質指標が低下した場合に前記ネットワークの品質が劣化したものと判定し、
前記パケットが無線回線を経由して取得されたパケットであれば、
前記品質指標が非周期的に低下した場合に前記ネットワークの品質が劣化したものと判定する
ことを特徴とする品質劣化検知装置。
【請求項２】
前記品質指標の経時変化をスペクトル解析した結果に基づき、前記パケットが有線回線のみを経由して取得されたパケットであるか、または無線回線を経由して取得されたパケットであるかを判定する有線無線判定部を備え、
前記品質劣化検知部は、
前記有線無線判定部の判定結果を用いて前記ネットワークの品質劣化を検知する
ことを特徴とする請求項１記載の品質劣化検知装置。
【請求項３】
前記パケットが有線回線のみを経由して取得されたパケットである場合の前記品質指標の経時変化をスペクトル解析した結果と、
前記パケットが無線回線を経由して取得されたパケットである場合の前記品質指標の経時変化をスペクトル解析した結果と、
をあらかじめ学習した第１学習器を備え、
前記第１学習器は、
前記品質指標の経時変化をスペクトル解析した結果を学習済みの結果と比較し、
前記有線無線判定部は、
その比較結果に基づき、
前記パケットが有線回線のみを経由して取得されたパケットであるか、または無線回線を経由して取得されたパケットであるかを判定する
ことを特徴とする請求項２記載の品質劣化検知装置。
【請求項４】
前記パケットが有線回線のみを経由して取得されたパケットである場合と、前記パケットが無線回線を経由して取得されたパケットである場合とのそれぞれについて、前記品質指標が低下した時の前記品質指標の経時変化をスペクトル解析した結果をあらかじめ学習した第２学習器を備え、
前記第２学習器は、
前記品質指標の経時変化をスペクトル解析した結果を学習済みの結果と比較し、
前記品質劣化検知部は、
その比較結果に基づき前記ネットワークの品質劣化を検知する
ことを特徴とする請求項１ないし請求項３のいずれかに記載の品質劣化検知装置。
【請求項５】
前記第２学習器は、
前記パケットが無線回線を経由して取得されたパケットである場合について、
前記ネットワークの正常時における前記品質指標の周期的な経時変化をスペクトル解析した結果をあらかじめ学習しており、
前記第２学習器は、
前記品質指標の経時変化をスペクトル解析した結果を学習済みの結果と比較し、
前記品質劣化検知部は、
その比較結果に基づき前記ネットワークの品質劣化を検知する
ことを特徴とする請求項４記載の品質劣化検知装置。
【請求項６】
前記品質劣化検知部は、
前記品質指標が低下した場合、前記比較結果に基づき、その低下が周期的なものであるのか非周期的なものであるのかを判定する
ことを特徴とする請求項５記載の品質劣化検知装置。
【請求項７】
ネットワークを流れるパケットが経由してきた回線種別を判定する装置であって、
前記ネットワークを流れるパケットを取得するパケット取得部と、
前記パケット取得部が取得したパケットに基づき前記ネットワークの品質指標を取得する品質取得部と、
前記品質指標の経時変化をスペクトル解析した結果に基づき、前記パケットが有線回線のみを経由して取得されたパケットであるか、または無線回線を経由して取得されたパケットであるかを判定する有線無線判定部と、
を備えたことを特徴とする有線無線判定装置。
【請求項８】
前記パケットが有線回線のみを経由して取得されたパケットである場合の前記品質指標の経時変化をスペクトル解析した結果と、
前記パケットが無線回線を経由して取得されたパケットである場合の前記品質指標の経時変化をスペクトル解析した結果と、
をあらかじめ学習した第１学習器を備え、
前記第１学習器は、
前記品質指標の経時変化をスペクトル解析した結果を学習済みの結果と比較し、
前記有線無線判定部は、
その比較結果に基づき、
前記パケットが有線回線のみを経由して取得されたパケットであるか、または無線回線を経由して取得されたパケットであるかを判定する
ことを特徴とする請求項７記載の有線無線判定装置。
【発明の詳細な説明】
【技術分野】
【０００１】
本発明は、ネットワークの品質劣化を検知する技術に関するものである。
【背景技術】
【０００２】
従来、『ネットワークアプリケーションで障害が発生した場合に、品質障害の原因が、サーバなのかネットワークなのかを正確に切り分けること。』を目的とする技術として、『クライアント１１１〜１１３とアプリケーションサーバ１０１とでやり取りされるパケットデータをネットワークアプリケーション障害原因切り分け装置１０３で常時取得し、この取得したパケットデータの内容を事前に定義した情報に基づきネットワーク処理時間とサーバ処理時間とを判断し、切り分けを行った情報を蓄積しておき、一定間隔で監視センタ１３１へ送信するもの。』というものが提案されている（特許文献１）。
【０００３】
また、『ネットワーク資源を有効利用しながらネットワーク上で提供される通信サービスの品質の劣化を防止するサービス品質管理装置を提供する。』ことを目的とする技術として、『管理対象となるネットワーク内で提供されるサービス品質管理装置であって、通信サービスの各セッションに関する情報を含むサービス情報及び上記ネットワーク構成情報を取得する情報取得手段と、当該各セッションのトラフィック量をそれぞれ生成する情報生成手段と、上記各情報に基づいて当該各セッションのパケット経路をそれぞれ決定する経路決定手段と、当該各セッションのトラフィック量と当該各セッションのパケット経路とに基づいて、各リンクのトラフィック量及び負荷をそれぞれ算出する算出手段と、この算出された各リンクの負荷に基づいて各セッションで実現されるサービス品質をそれぞれ判定する品質判定手段とを備える。』というものが提案されている（特許文献２）。
【先行技術文献】
【特許文献】
【０００４】
【特許文献１】特開２００６−６５６１９号公報（要約）
【特許文献２】特開２００７−２６６８９０号公報（要約）
【発明の概要】
【発明が解決しようとする課題】
【０００５】
有線回線と無線回線が混在したネットワークでは、無線回線の回線品質揺らぎに起因して、パケットロス、遅延などの品質劣化が頻繁に発生する可能性がある。これらの品質劣化は、必ずしもネットワーク障害であるわけではなく、いわば定常的に発生する周期的な現象であると考えることもできる。
上記のように、本来であれば障害であるとすべきでない現象を、誤ってネットワーク障害として誤検知してしまうことは、Ｆａｌｓｅ  Ｐｏｓｉｔｉｖｅと呼ばれている。
【０００６】
この点に関し、上記特許文献１に記載の技術は、ネットワークアプリケーションの障害検知を目的としたものであり、正常時と障害時の中間的な状態である品質劣化状態を検知することは、想定されていない。
同技術を用いた場合、ネットワーク品質が劣化して所定閾値を下回ると、「障害が発生した」と誤検知されることになると考えられる。
【０００７】
また、上記特許文献２に記載の技術では、通信セッションのトラフィック量とパケット経路に基づいて、ネットワークサービスの品質を監視するものである。そのため、監視のリアルタイム性の観点で課題がある。
例えば、上記特許文献２に記載の技術では、一時的に生じたパケットロスの増加などの品質劣化をリアルタイムに検出することが難しい。そのため、ネットワークサービス品質をユーザーに対して保証するサービスには向いていない。
【０００８】
そのため、有線回線と無線回線が混在し、一時的な品質劣化が頻繁に生じる可能性のあるネットワークにおいて、その品質劣化を検知することのできる手段が望まれていた。
【課題を解決するための手段】
【０００９】
本発明に係る品質劣化検知装置は、ネットワークの品質劣化を検知する装置であって、前記ネットワークを流れるパケットを取得するパケット取得部と、前記パケット取得部が取得したパケットに基づき前記ネットワークの品質指標を取得する品質取得部と、前記品質指標に基づき前記ネットワークの品質劣化を検知する品質劣化検知部と、を備え、前記品質劣化検知部は、前記パケットが有線回線のみを経由して取得されたパケットであれば、前記品質指標が低下した場合に前記ネットワークの品質が劣化したものと判定し、前記パケットが無線回線を経由して取得されたパケットであれば、前記品質指標が非周期的に低下した場合に前記ネットワークの品質が劣化したものと判定する。
【発明の効果】
【００１０】
本発明に係る品質劣化検知装置は、パケットが有線回線のみを経由してきたのか、それとも無線回線を経由してきたのかによって、品質劣化の判定基準を変更する。
これにより、有線回線のみを経由してきたパケットについては確実に品質劣化を検知することができるとともに、無線回線を経由してきたパケットについては、誤検知の可能性を低減することができる。
【図面の簡単な説明】
【００１１】
【図１】実施の形態１に係る品質劣化検知装置１００の機能ブロック図である。
【図２】正常時のネットワーク品質指標の経時変化を示すグラフである。
【図３】パケットが経由してきたネットワークが有線回線のみで構成されている場合における、異常発生時のネットワーク品質指標の経時変化を示すグラフである。
【図４】パケットが無線回線を経由してきた場合における、異常発生時のネットワーク品質指標の経時変化を示すグラフである。
【図５】有線無線判定部１３０が行うスペクトル解析の結果を符号化する例を示す図である。
【図６】学習器１３１の構成例を示す図である。
【図７】学習器１３１の構成例を示す図である。
【図８】実施の形態４に係る有線無線判定装置２００の機能ブロック図である。
【発明を実施するための形態】
【００１２】
実施の形態１．
図１は、本発明の実施の形態１に係る品質劣化検知装置１００の機能ブロック図である。品質劣化検知装置１００は、ネットワークインタフェース部１１０、品質情報取得部１２０、有線無線判定部１３０、品質劣化検知部１４０を備える。また、有線無線判定部１３０は、学習器１３１を備える。
【００１３】
ネットワークインタフェース部１１０は、ネットワークに接続され、当該ネットワークに流れているパケットを取得して、品質情報取得部１２０に出力する。必ずしもネットワークを流れる全てのパケットを取得する必要はなく、ネットワークの品質劣化を検知するために必要なだけのパケットのみ取得してもよい。
【００１４】
品質情報取得部１２０は、ネットワークインタフェース部１１０から取得するパケットを、例えばセッション単位など適当な単位で管理し、そのパケットを介してネットワークの品質情報を取得して、有線無線判定部１３０と品質劣化検知部１４０に出力する。
【００１５】
ネットワークの品質情報は、ＲＴＣＰ（ＲＴＰ  Ｃｏｎｔｒｏｌ  Ｐｒｏｔｏｃｏｌ：ＲＦＣ１８８９）や、ＲＴＣＰ−ＸＲ（ＲＴＰ  Ｃｏｎｔｒｏｌ  Ｐｒｏｔｏｃｏｌ  Ｅｘｔｅｎｄｅｄ  Ｒｅｐｏｒｔｓ：ＲＦＣ３６１１）などのプロトコルに準じて実装されたパケットを監視することにより得られる。その他の適当な手法を用いてもよい。
【００１６】
上記の品質情報として、例えば以下のような品質指標を含む情報が考えられる。下記（１）〜（４）については、所定時間間隔またはセッション内の通算値を用いる。
【００１７】
（１）パケットロス数
（２）パケットロス率
（３）パケット遅延
（４）ジッター
（５）ＭＯＳ（Ｍｅａｎ  Ｏｐｉｎｉｏｎ  Ｓｃｏｒｅ）のような品質推定値
（６）その他のＱｏＳ／ＱｏＥ（Ｑｕａｌｉｔｙ  ｏｆ  Ｓｅｒｖｉｃｅ／Ｑｕａｌｉｔｙ  ｏｆ  Ｅｘｐｅｒｉｅｎｃｅ）を計測するための指標値
【００１８】
有線無線判定部１３０は、品質情報取得部１２０より取得した品質情報が表す当該ネットワークの品質指標の変動パターンなどを用いて、当該パケットが有線回線のみを経由して取得されたものであるのか、それとも無線回線を経由して取得されたものであるのかを判定する。判定手法は、後述の図２〜図４を用いて説明する。
有線無線判定部１３０は、上述の判定結果と、後述の図２〜図４で説明するスペクトル解析結果を、品質劣化検知部１４０と学習器１３１に出力する。
【００１９】
学習器１３１は、後述の図２〜図４で説明する手法を用いて、ネットワークの品質指標の経時変化を学習する。
【００２０】
品質劣化検知部１４０は、品質情報取得部１２０より取得した品質情報と、有線無線判定部１３０より取得した上述の判定結果およびスペクトル解析結果を用いて、当該ネットワークの品質劣化を検知する。検知手法は、後述の図２〜図４を用いて説明する。
【００２１】
品質情報取得部１２０、有線無線判定部１３０、品質劣化検知部１４０、学習器１３１は、これらの機能を実現する回路デバイスなどのハードウェアを用いて構成してもよいし、マイコンやＣＰＵ（Ｃｅｎｔｒａｌ  Ｐｒｏｃｅｓｓｏｒ  Ｕｎｉｔ）などの演算装置とその動作を規定するソフトウェアを用いて構成してもよい。また、メモリなどの必要な記憶装置を適宜用いて構成してもよい。
【００２２】
本実施の形態１における「パケット取得部」は、ネットワークインタフェース部１１０が相当する。ネットワークを流れるパケットを即座に取得できるのであれば、ネットワークに直接接続する以外の手法を用いて、パケットを取得してもよい。
【００２３】
また、「第１学習器」「第２学習器」は、学習器１３１が相当する。本実施の形態１では、回線種別と障害発生の有無を単一の学習器で併せて判定する例を説明するが、これらの判定は個別に行ってもよい。
【００２４】
以上、品質劣化検知装置１００の構成について説明した。
次に、品質劣化検知装置１００の各部の動作について説明する。
【００２５】
図２は、正常時のネットワーク品質指標の経時変化を示すグラフである。図２（ａ）上図は有線回線、図２（ｂ）は無線回線についてそれぞれ図示している。
【００２６】
パケットが経由してきたネットワークが有線回線のみで構成されている場合、ネットワークに障害が発生していない正常時の品質指標は、図２（ａ）上図に示すように、安定している。この波形を周波数スペクトル解析した例が、図２（ａ）下図である。ここでは、特定周波数のスペクトルのみが大きく現れる例を示した。
【００２７】
パケットが経由してきたネットワークが無線回線のみで構成されている場合、または無線回線を少なくとも一部に含む場合、正常時の品質指標は、図２（ｂ）上図に示すように、大きく変動する。この波形を周波数スペクトル解析した例が、図２（ｂ）下図である。ここでは、複数の周波数のスペクトルが大きく現れる例を示した。
【００２８】
有線無線判定部１３０は、ネットワークが正常動作しているときの品質指標の経時変化を品質情報取得部１２０より取得し、これを上述のように周波数スペクトル解析して、学習器１３１に学習させておく。必ずしも実パケットを用いる必要はなく、シミュレーションデータなどを用いて擬似的に学習させてもよい。
なお、パケットが経由してきたネットワークの少なくとも一部が無線回線により構成されている場合の学習手法については、以下のような例が考えられる。有線回線と無線回線の混在の程度についても同様の手法で学習することができる。
【００２９】
（１）有線回線と無線回線が混在している場合の品質指標の経時変化波形そのものを、混在パターン毎に学習させる。
（２）有線回線のみで構成されている場合と、無線回線のみで構成されている場合とのそれぞれの経時変化波形を、適当な係数を乗じた上で足し合わせ、これにより有線回線と無線回線が混在している場合の経時変化波形を模擬する。
（３）有線回線のみで構成されている場合と、無線回線のみで構成されている場合とのそれぞれの学習結果を、適当な係数を乗じた上で足し合わせ、これにより有線回線と無線回線が混在している場合の学習結果を模擬する。
【００３０】
以上、正常時の品質指標の経時変化を学習しておくことについて説明した。
次に、異常時についても同様に学習しておくことについて、異常時の波形やスペクトルを例示しながら説明する。
【００３１】
図３は、パケットが経由してきたネットワークが有線回線のみで構成されている場合における、異常発生時のネットワーク品質指標の経時変化を示すグラフである。図３（ａ）は周期的な障害発生時、図３（ｂ）は一時的な障害発生時のグラフを示す。
【００３２】
図３（ａ）に示す周期的な障害発生時は、強い振幅を有するスペクトラムが、正常時とは異なる周波数帯に現れる。これをもって、周期的な障害が発生したことを検知することができる。
有線回線のみのネットワークは、図２（ａ）に示すようにそもそも品質指標が安定しているため、図３（ａ）のような周期的な品質劣化が発生した時は、例えば機器故障などの障害が生じている可能性がある。
【００３３】
図３（ｂ）に示す一時的な障害発生時も、強い振幅を有するスペクトラムが、正常時とは異なる周波数帯に現れる。これをもって、一時的な障害が発生したことを検知することができる。
図３（ｂ）のような一時的な品質劣化が発生した時は、明らかに重大な品質劣化が発生していると言える。
【００３４】
図４は、パケットが経由してきたネットワークが無線回線のみで構成されている場合、または無線回線が少なくとも一部に含まれる場合における、異常発生時のネットワーク品質指標の経時変化を示すグラフである。図４（ａ）は周期的な障害発生時、図４（ｂ）は一時的な障害発生時のグラフを示す。
【００３５】
図４（ａ）に示す周期的な障害発生時は、強い振幅を有するスペクトラムが、正常時とは異なる周波数帯に現れる。これをもって、周期的な障害が発生したことを検知することができる。
【００３６】
無線回線が少なくとも一部に含まれるネットワークでは、無線回線の回線品質揺らぎに起因して、周期的な品質劣化が発生する場合がある。この原因として、無線回線の周辺環境からの周期的な電波干渉などが考えられる。
このような無線回線の周期的な性能劣化は、通信が完全に途絶えてしまうわけではないため、ユーザーが気付きにくい傾向がある。また、無線回線ではこのような周期的な性能劣化は生じることが通常であるため、これが生じる度に障害発生であると判定してしまうと、いわゆる誤検知（Ｆａｌｓｅ  Ｐｏｓｉｔｉｖｅ）をしてしまうことになる。
【００３７】
図４（ｂ）に示す一時的な障害発生時も、強い振幅を有するスペクトラムが、正常時とは異なる周波数帯に現れる。これをもって、一時的な障害が発生したことを検知することができる。
【００３８】
図４（ｂ）のような障害が発生する原因として、例えば無線回線の周辺環境などからの長時間に及ぶ電波干渉などが考えられる。
図４（ｂ）のような一時的な品質劣化が発生した時は、通信が途絶えてしまうため、周期的な障害発生時とは異なり、ユーザーは障害に気づき易い。また、この場合は障害発生であると判定してよいと言える。
【００３９】
有線無線判定部１３０は、図３〜図４で説明したような異常時の品質指標の経時変化を品質情報取得部１２０より取得し、これを周波数スペクトル解析して、学習器１３１に学習させておく。正常時と同様に、必ずしも実パケットを用いる必要はなく、シミュレーションデータなどを用いて擬似的に学習させてもよい。
なお、パケットが経由してきたネットワークの少なくとも一部が無線回線により構成されている場合の学習手法、および有線回線と無線回線の混在の程度については、正常時と同様の手法を用いることができる。
【００４０】
以上、有線回線と無線回線のそれぞれについて、正常時と異常時の品質指標の経時変化を学習器１３１にあらかじめ学習させておくことを説明した。
次に、品質劣化を検知するための動作について、以下のステップ（１）〜（８）で説明する。
【００４１】
（１）学習器１３１は、上述のような学習をあらかじめ行っておく。
（２）ネットワークインタフェース部１１０は、接続しているネットワークからパケットを適当な単位で取得し、品質情報取得部１２０に出力する。
【００４２】
（３）品質情報取得部１２０は、ネットワークインタフェース部１１０から取得したパケットの品質情報を取得し、有線無線判定部１３０、品質劣化検知部１４０に出力する。
【００４３】
（４）有線無線判定部１３０は、品質情報取得部１２０から取得した品質情報をスペクトル解析し、その結果を学習器１３１に出力する。
【００４４】
（５）学習器１３１は、有線無線判定部１３０から受け取ったスペクトル解析の結果を、上述のようなあらかじめ学習しておいた学習結果と比較する。
学習器１３１は、その比較結果に基づき、当該パケットが有線回線のみを経由して取得されたものであるのか、それとも無線回線を経由して取得されたものであるのかを判定し、有線無線判定部１３０に戻す。また、ネットワークに障害が発生しているか否かを併せて判定し、品質劣化検知部１４０に判定結果を出力する。
【００４５】
（６）有線無線判定部１３０は、パケットが有線回線のみを経由して取得されたものであるのか、それとも無線回線を経由して取得されたものであるのかの判定結果を、品質劣化検知部１４０に出力する。
【００４６】
（７）品質劣化検知部１４０は、ネットワークに障害が発生している旨の判定結果を学習器１３１から受け取った場合、以下の手順にしたがって、ネットワークの品質劣化を検知する。障害が発生していない旨の判定結果を学習器１３１から受け取った場合は、本ステップは省略する。
【００４７】
（７．１）パケットが有線回線のみを経由して取得された場合
品質劣化検知部１４０は、ネットワークに障害が発生し品質が劣化しているものと判定する。また、必要に応じてその旨を品質劣化検知装置１００の外部に出力する。さらには、必要に応じて、品質情報取得部１２０から品質情報の現在値を取得し、品質指標が実際に低下していることを確認した上で、異常判定を行ってもよい。
【００４８】
（７．２）パケットが少なくとも部分的に無線回線を経由して取得された場合
品質劣化検知部１４０は、図４（ａ）で説明したような周期的な障害が発生している旨の判定結果を学習器１３１から受け取った場合は、ネットワーク障害に起因する品質劣化は生じていないと判定する。
また、図４（ｂ）で説明したような一時的な障害が発生している旨の判定結果を学習器１３１から受け取った場合は、ネットワーク障害に起因する品質劣化が発生しているものと判定する。
また、必要に応じてこれらの判定結果を品質劣化検知装置１００の外部に出力する。さらには、必要に応じて、品質情報取得部１２０から品質情報の現在値を取得し、品質指標が実際に低下していることを確認した上で、異常判定を行ってもよい。
【００４９】
（８）品質劣化検知装置１００の各部は、以上のステップ（１）〜（７）の動作を、繰り返し実行する。
【００５０】
以上、品質劣化検知装置１００の動作を説明した。
なお、上記の説明では、学習器１３１は障害が周期的なものであるか否かを判定することを説明したが、学習器１３１は障害発生の有無のみを判定するようにしてもよい。この場合、障害が周期的なものであるか否かは、品質劣化検知部１４０が判定する。
具体的には、以下のようにすることが考えられる。
まず、有線無線判定部１３０の過去のスペクトル解析結果を適当な記憶装置に蓄積しておく。品質劣化検知部１４０は、この過去のスペクトル解析結果を照会して、現時点のスペクトルが、障害発生時の周期的なスペクトルと一致するか否かを判定する。
【００５１】
以上のように、本実施の形態１に係る品質劣化検知装置１００は、取得したパケットが有線回線のみを経由してきたのか、それとも少なくとも部分的に無線回線を経由してきたのかを判定した上で、当該ネットワークの品質劣化を検知する。
そのため、有線回線については確実に品質劣化を検知することができる。また、少なくとも部分的に無線回線を有するネットワークについては、無線回線の品質揺らぎに起因する周期的な品質指標の低下などのようなあらかじめ想定される品質劣化を、ネットワーク障害であると誤認識してしまう（Ｆａｌｓｅ  Ｐｏｓｉｔｉｖｅ）可能性を低減することができる。
【００５２】
実施の形態２．
本発明の実施の形態２では、ニューロコンピュータの構成を用いて学習器１３１を構成した例を説明する。品質劣化検知装置１００の構成は、実施の形態１と同様である。
【００５３】
図５は、有線無線判定部１３０が行うスペクトル解析の結果を符号化する例を示す図である。本実施の形態２において、有線無線判定部１３０は、品質情報取得部１２０から取得した品質情報をスペクトル解析し、その結果を「０」または「１」のビット値に符号化する。
【００５４】
具体的には、スペクトルの振幅について所定の閾値をあらかじめ定めておき、振幅がこの閾値を超えた周波数帯域には値「１」を、閾値を超えていない周波数帯域には値「０」を割り当てる。
これにより、有線無線判定部１３０は、品質情報のスペクトル解析結果をビット列に符号化する。学習器１３１は、符号化して得られたビット列を、有線無線判定部１３０より受け取る。
【００５５】
図６は、学習器１３１の構成例を示す図である。本実施の形態２において、学習器１３１は、ニューロコンピュータの構成を用いて構成されている。
学習器１３１は、有線回線／無線回線それぞれについて、正常時および障害発生時のスペクトル解析結果を図５で説明したような「０」または「１」のビット値に符号化したものを、学習データとして受け取る。学習器１３１は、これを用いて、有線回線／無線回線それぞれについて、正常時および障害発生時のスペクトル解析結果を学習する。
このとき、単に障害が発生しているか否かのみならず、その障害が周期的な障害であるのか、それとも一時的な障害であるのかを区別して、個別に学習器１３１に学習させておいてもよい。
【００５６】
学習器１３１の学習結果は、各ニューロンの重み係数などの形態で、学習器１３１内部に蓄積される。
【００５７】
学習器１３１は、判定結果をビット列などの適当な形式で表して出力するように構成しておく。例えば、有線／無線の回線種別を表す１ビットと、正常／異常を表す１ビットとの、合計２ビットを出力する。さらに、異常が周期的なものであるか否かを表す１ビットを加え、合計３ビットを出力するようにしてもよい。その他の適当な出力形式を用いてもよい。
【００５８】
以上、学習器１３１の構成例について説明した。
次に、本実施の形態２における品質劣化検知装置１００の動作を説明する。
【００５９】
（１）〜（３）
ステップ（１）〜（３）については、実施の形態１で説明した動作と同様である。
【００６０】
（４）有線無線判定部１３０は、品質情報取得部１２０から取得した品質情報をスペクトル解析し、その結果を図５で説明したようなビット列に符号化して、学習器１３１に出力する。
【００６１】
（５）学習器１３１は、有線無線判定部１３０から受け取ったビット列を、上述のようなあらかじめ学習しておいた学習結果と比較する。
学習器１３１は、その比較結果に基づき、当該パケットが有線回線のみを経由して取得されたものであるのか、それとも無線回線を経由して取得されたものであるのかを判定し、有線無線判定部１３０に戻す。また、併せてネットワークに障害が発生しているか否かを判定し、品質劣化検知部１４０に判定結果を出力する。
【００６２】
（６）〜（８）
ステップ（６）〜（８）については、実施の形態１で説明した動作と同様である。
【００６３】
以上、本実施の形態２では、ニューロコンピュータの構成を用いて、学習器１３１を構成した例を説明した。
【００６４】
実施の形態３．
本発明の実施の形態３では、サポートベクターマシンの構成を用いて学習器１３１を構成した例を説明する。品質劣化検知装置１００の構成は、実施の形態１と同様である。また、品質劣化検知装置１００の動作は、学習器１３１の構成に係る部分を除いて実施の形態２と同様である。
【００６５】
図７は、学習器１３１の構成例を示す図である。本実施の形態３において、学習器１３１は、サポートベクターマシンの構成を用いて構成されている。
学習器１３１は、有線回線／無線回線それぞれについて、正常時および障害発生時のスペクトル解析結果を図５で説明したような「０」または「１」のビット値に符号化したものを、学習データとして受け取る。学習器１３１は、これを用いて、有線回線／無線回線それぞれについて、正常時および障害発生時のスペクトル解析結果を学習する。
【００６６】
学習器１３１の学習結果は、有線／無線の回線種別、および正常／異常の区別を表す境界線や境界平面などの形態で、学習器１３１内部に蓄積される。
例えば、学習器１３１は、学習の進行に伴って、スペクトル解析結果の符号化後のビット列で表される空間を、（１）有線／正常、（２）有線／異常、（３）無線／正常、（４）無線／異常、の４つの領域に分割しておく。
【００６７】
学習器１３１は、有線無線判定部１３０よりスペクトル解析結果の符号化後データを受け取ると、その符号化後データが、上述の境界線や境界平面で区切られた４つの領域のいずれに属するかを判定する。
これにより、学習器１３１は、有線／無線の回線種別と、正常／異常の区別とを判定することができる。
【００６８】
なお、学習器１３１にスペクトル解析結果の符号化後ビット列を学習させる際に、単に障害が発生しているか否かのみならず、その障害が周期的な障害であるのか、それとも一時的な障害であるのかを区別して、個別に学習器１３１に学習させておいてもよい。
【００６９】
学習器１３１は、判定結果をビット列などの適当な形式で表して出力するように構成しておく。例えば、有線／無線の回線種別を表す１ビットと、正常／異常を表す１ビットとの、合計２ビットを出力する。さらに、異常が周期的なものであるか否かを表す１ビットを加え、合計３ビットを出力するようにしてもよい。
【００７０】
以上、本実施の形態３では、サポートベクターマシンの構成を用いて、学習器１３１を構成した例を説明した。
【００７１】
実施の形態４．
実施の形態１〜３では、ネットワークの品質劣化を検知する手法について説明した。また、その中で、パケットが有線回線のみを経由して取得されたものであるのか、それとも無線回線を経由して取得されたものであるのかを判定することを説明した。
本発明の実施の形態４では、有線／無線の回線種別を判定する部分のみを、単独の装置として構成した例を説明する。
【００７２】
図８は、本実施の形態４に係る有線無線判定装置２００の機能ブロック図である。
有線無線判定装置２００は、ネットワークインタフェース部２１０、品質情報取得部２２０、有線無線判定部２３０を備える。また、有線無線判定部２３０は、学習器２３１を備える。
【００７３】
各部の機能は、実施の形態１〜３で説明した同名の各部の機能と同様である。
ただし、学習器２３１は、有線／無線の回線種別のみを判定すればよく、ネットワークに障害が発生しているか否かについては判定する必要はない。そのため、学習器２３１の内部的な構成や出力は、実施の形態１〜３よりも簡易化することができる。例えば、出力ビット数を１ビットのみとしてもよい。
【００７４】
以上のように、本実施の形態４に係る有線無線判定装置２００は、実施の形態１〜３で説明した手法により、パケットが有線回線のみを経由して取得されたものであるのか、それとも無線回線を経由して取得されたものであるのかを判定することができる。
【符号の説明】
【００７５】
１００  品質劣化検知装置、１１０  ネットワークインタフェース部、１２０  品質情報取得部、１３０  有線無線判定部、１３１  学習器、１４０  品質劣化検知部、２００  有線無線判定装置、２１０  ネットワークインタフェース部、２２０  品質情報取得部、２３０  有線無線判定部、２３１  学習器。
【図１】
2010183220.tif 000003
【図２】
2010183220.tif 000004
【図３】
2010183220.tif 000005
【図４】
2010183220.tif 000006
【図５】
2010183220.tif 000007
【図６】
2010183220.tif 000008
【図７】
2010183220.tif 000009
【図８】
2010183220.tif 000010